(57)【特許請求の範囲】
【請求項１】
相互に対向して配置された一対の側板と、これら側板を相互に連結するとともに、商品を収容するマガジンの支持部を兼ねる複数段の連結体と、をそれぞれ有する第１及び第２の一対の構造体を備え、
前記第１及び第２の構造体はそれぞれ自立し、且つ、相対的に横移動可能で、相互に横方向に抜け止めされた状態で連結され、
前記第１の構造体は、相互に対向して配置された第１及び第２の一対の前記側板と、これら側板を相互に連結する複数段の第１の前記連結体と、を有し、
前記第２の構造体は、相互に対向して配置された第３及び第４の一対の前記側板と、これら側板を相互に連結する複数段の第２の前記連結体と、を有し、
前記第１の側板と前記第２の側板との間に前記第３の側板が位置し、前記第１の連結体は、前記第３の側板に形成された挿通部に遊挿されて前記第３の側板を左右に突き抜け、
前記第３の側板と前記第４の側板との間に前記第２の側板が位置し、前記第２の連結体は、前記第２の側板に形成された挿通部に遊挿されて前記第２の側板を左右に突き抜け、
前記第２の側板は、前記第３の側板により、前記第２の構造体から前記第１の側板側に抜けてしまうことが規制され、
前記第３の側板は、前記第２の側板により、前記第１の構造体から前記第４の側板側に抜けてしまうことが規制されており、
前記第１及び第２の側板の対向間隔から前記第３の側板の板厚を差し引いた長さ、並びに、前記第３及び第４の側板の対向間隔から前記第２の側板の板厚を差し引いた長さは、それぞれ、前記マガジンの横幅の整数倍に設定されていることを特徴とする商品陳列棚。
【請求項２】
当該商品陳列棚の各段において、前記第１の連結体と前記第２の連結体とは、互いに同一高さに配置され、かつ、奥行き方向において互いにオフセットして配置されていることを特徴とする請求項１に記載の商品陳列棚。
【請求項３】
当該商品陳列棚の各段において、前記第１の連結体は、奥行き方向に離間して複数個設けられていることを特徴とする請求項１又は２に記載の商品陳列棚。
【請求項４】
当該商品陳列棚の各段において、前記第２の連結体は、奥行き方向に離間して複数個設けられていることを特徴とする請求項３に記載の商品陳列棚。
【請求項５】
前記第１及び第２の側板の対向間隔から前記第３の側板の板厚を差し引いた長さと、前記第３及び第４の側板の対向間隔から前記第２の側板の板厚を差し引いた長さと、が互いに等しいことを特徴とする請求項１乃至４の何れか一項に記載の商品陳列棚。
【請求項６】
前記第１の側板と前記第４の側板との少なくともいずれか一方に把手部が設けられていることを特徴とする請求項１乃至５の何れか一項に記載の商品陳列棚。
【請求項７】
少なくとも何れか１つの前記側板において、その隣の前記側板の方を向く面に、緩衝材が設けられていることを特徴とする請求項１乃至６の何れか一項に記載の商品陳列棚。
【請求項８】
前記第１の構造体の前記側板の底面と、前記第２の構造体の前記側板の底面と、の少なくとも何れか一方に、滑り材が設けられていることを特徴とする請求項１乃至７の何れか一項に記載の商品陳列棚。
【請求項９】
前記第１の構造体の前記側板の底面と、前記第２の構造体の前記側板の底面と、の何れか一方に前記滑り材が設けられ、何れか他方に滑り止め材が設けられていることを特徴とする請求項８に記載の商品陳列棚。
【発明の詳細な説明】
【技術分野】
【０００１】
本発明は、商品陳列棚に関する。
【背景技術】
【０００２】
コンビニエンスストアなどの店舗では、様々な商品がいわゆる什器に陳列されている。
【０００３】
多様な商品のうち、例えばタバコパッケージなどの特定の商品を陳列するための什器（商品陳列棚）は、電子キャッシュレジスタなどの販売処理装置が載置されたレジカウンタ上又はその周辺に配置されることが一般的である。
【０００４】
なお、ここで云うタバコパッケージとは、実際に喫煙されるいわゆる紙巻タバコを、ソフト包装やハードボックスに所定の本数ずつ収容してなる、最小の販売単位のパッケージである。
【０００５】
ところで、コンビニエンスストアなどの店舗のレジカウンタ上又はその周辺において商品を陳列可能なスペースは、店舗毎に異なり、また季節毎の商品サイクルに応じても変動する。このため、商品陳列棚には、商品の陳列スペースの大きさを必要に応じて容易に変更できることが望まれる。
【０００６】
特許文献１には、互いに対向する一対の側壁部材と、これら側壁部材を連結する連結部材と、を有する商品陳列棚（商品陳列用什器）が記載されている。この商品陳列棚においては、連結部材は棒形状を有し、軸方向に任意数を接続できるようになっている。そして、連結部材の接続数を選択することによって、一対の側壁部材の間の距離を調整し、商品陳列棚の横幅を変更することが可能となっている。
【０００７】
特許文献２には、側板と分割底板とをそれぞれ有する左トレイ半体と右トレイ半体とを備え、これらトレイ半体の分割底板どうしを左右の側板の間隔を変化させる方向にスライド可能に結合した構成の商品陳列棚（タバコ陳列システムケース）が記載されている。この商品陳列棚には、左右の側板の間隔が特定の間隔のときに働くクリックストップ機構が設けられている。このクリックストップ機構は、一方の分割底板に一体に形成された弾性片と、この弾性片に設けられた突起と、他方の分割底板に形成されこの突起が嵌合離脱しうるクリック穴と、からなる。
【先行技術文献】
【特許文献】
【０００８】
【特許文献１】登録実用新案３１３８２９２号公報
【特許文献２】登録実用新案３１６３７０８号公報
【発明の概要】
【発明が解決しようとする課題】
【０００９】
特許文献１の技術では、商品陳列棚の横幅を変更するためには、棒形状の連結部材を継ぎ足したり、或いは、連結部材を取り外したりする必要がある。よって、商品陳列棚の横幅を変更する操作の操作性が悪い。
【００１０】
特許文献２の技術では、商品陳列棚の横幅の変更操作は、商品陳列棚の各段のクリックストップ機構の突起とクリック穴とを離脱させてから行う必要がある。このため、商品陳列棚の横幅を変更する操作の操作性が悪い。
【００１１】
本発明は、上述のような課題に鑑みてなされたものであり、商品陳列棚の横幅を変更する操作の操作性が良い商品陳列棚を提供する。
【課題を解決するための手段】
【００１２】
本発明は、相互に対向して配置された一対の側板と、これら側板を相互に連結するとともに、商品を収容するマガジンの支持部を兼ねる複数段の連結体と、をそれぞれ有する第１及び第２の一対の構造体を備え、
前記第１及び第２の構造体はそれぞれ自立し、且つ、相対的に横移動可能で、相互に横方向に抜け止めされた状態で連結され、
前記第１の構造体は、相互に対向して配置された第１及び第２の一対の前記側板と、これら側板を相互に連結する複数段の第１の前記連結体と、を有し、
前記第２の構造体は、相互に対向して配置された第３及び第４の一対の前記側板と、これら側板を相互に連結する複数段の第２の前記連結体と、を有し、
前記第１の側板と前記第２の側板との間に前記第３の側板が位置し、前記第１の連結体は、前記第３の側板に形成された挿通部に遊挿されて前記第３の側板を左右に突き抜け、
前記第３の側板と前記第４の側板との間に前記第２の側板が位置し、前記第２の連結体は、前記第２の側板に形成された挿通部に遊挿されて前記第２の側板を左右に突き抜け、
前記第２の側板は、前記第３の側板により、前記第２の構造体から前記第１の側板側に抜けてしまうことが規制され、
前記第３の側板は、前記第２の側板により、前記第１の構造体から前記第４の側板側に抜けてしまうことが規制されており、
前記第１及び第２の側板の対向間隔から前記第３の側板の板厚を差し引いた長さ、並びに、前記第３及び第４の側板の対向間隔から前記第２の側板の板厚を差し引いた長さは、それぞれ、前記マガジンの横幅の整数倍に設定されていることを特徴とする商品陳列棚を提供する。
【００１３】
この商品陳列棚によれば、第１及び第２の構造体は、それぞれ、相互に対向して配置された一対の側板と、これら側板を相互に連結するとともに、商品を収容するマガジンの支持部を兼ねる複数段の連結体と、を有している。このため、第１及び第２の構造体は、各々、一体的に構成されている。そして、それぞれが自立し且つ相互に横方向に抜け止めされた状態の第１の構造体と第２の構造体とを相対的に横移動させることができる。よって、商品陳列棚の横幅を変更する操作の操作性を良好なものとすることができる。
例えば、第１及び第２の構造体の何れか一方のみに力を加えて、当該一方の構造体を他方の構造体に対して相対的に横移動させることにより、商品陳列棚の横幅を容易に変更することが可能である。
また、第１の構造体と第２の構造体とは相互に横方向に抜け止めされた状態で連結されているため、第１の構造体と第２の構造体との連結状態を好適に維持することができるとともに、商品陳列棚の横幅が規定の上限値を超えないようにすることができる。
【発明の効果】
【００１４】
本発明によれば、商品陳列棚の横幅を変更する操作の操作性を良好なものとすることができる。
【図面の簡単な説明】
【００１５】
【図１】第１の実施形態に係る商品陳列棚の平面図である。
【図２】第１の実施形態に係る商品陳列棚の平面図である。
【図３】第１の実施形態に係る商品陳列棚の平面図である。
【図４】第１の実施形態に係る商品陳列棚の平面図である。
【図５】第１の実施形態に係る商品陳列棚の斜視図である。
【図６】第１の実施形態に係る商品陳列棚の斜視図である。
【図７】第１の実施形態に係る商品陳列棚の斜視図である。
【図８】第１の実施形態に係る商品陳列棚の斜視図である。
【図９】第１の実施形態に係る商品陳列棚の正面図である。
【図１０】第１の実施形態に係る商品陳列棚の側面図である。
【図１１】マガジンを示す側面図である。
【図１２】前面化粧パネルの第１部分を示す図である。
【図１３】前面化粧パネルの第２乃至第４部分を示す図である。
【図１４】第２の実施形態に係る商品陳列棚の平面図である。
【図１５】第３の実施形態に係る商品陳列棚の平面図である。
【図１６】第３の実施形態に係る商品陳列棚の一部分を示す斜視図である。
【図１７】第４の実施形態に係る商品陳列棚の平面図である。
【図１８】第５の実施形態に係る商品陳列棚の斜視図である。
【図１９】第６の実施形態に係る商品陳列棚の第１の例を示す斜視図である。
【図２０】第６の実施形態に係る商品陳列棚の第２の例を示す平面図である。
【図２１】第７の実施形態に係る商品陳列棚の平面図である。
【図２２】第８の実施形態に係る商品陳列棚の底面図である。
【図２３】第８の実施形態に係る商品陳列棚が有する滑り材の構造を示す図である。
【図２４】第９の実施形態に係る商品陳列棚の底面図である。
【発明を実施するための形態】
【００１６】
以下、本発明の実施形態について、図面を用いて説明する。なお、すべての図面において、同様の構成要素には同一の符号を付し、適宜に説明を省略する。
【００１７】
〔第１の実施形態〕
図１乃至図４は第１の実施形態に係る商品陳列棚１００の平面図、図５乃至図８は第１の実施形態に係る商品陳列棚１００の斜視図、図９は第１の実施形態に係る商品陳列棚１００の正面図、図１０は第１の実施形態に係る商品陳列棚１００の側面図である。このうち図１、図５及び図９は商品陳列棚１００の横幅をマガジン４０六つ分に設定した状態を示し、図２及び図６は商品陳列棚１００の横幅をマガジン４０三つ分に設定した状態を示し、図３及び図７は商品陳列棚１００の横幅をマガジン４０五つ分に設定した状態を示し、図４及び図８は商品陳列棚１００の横幅をマガジン４０四つ分に設定した状態を示す。
【００１８】
本実施形態に係る商品陳列棚１００は、相互に対向して配置された一対の側板と、これら側板を相互に連結するとともに、商品（例えば、タバコパッケージ６０）を収容するマガジン４０の支持部を兼ねる複数段の連結体（例えば、連結棒）と、をそれぞれ有する第１及び第２の一対の構造体１、２を備え、第１及び第２の構造体１、２はそれぞれ自立し、且つ、相対的に横移動可能で、相互に横方向に抜け止めされた状態で連結されている。以下、詳細に説明する。
【００１９】
図１乃至図４に示すように、第１の構造体１は、相互に対向して配置された第１及び第２の一対の側板１１、１２と、これら側板１１、１２を相互に連結する複数段（例えば、図５乃至図９に示すように、７段）の第１の連結棒（後述）と、を有している。
【００２０】
側板１１、１２は、それぞれ、平板状に形成されている。これら側板１１、１２は、それぞれ起立し、互いの板面が平行となり、且つ、互いの底面が同一平面内に位置するように配置されている（図５乃至図９参照）。側板１１と側板１２とは、例えば、互いに同一の外形形状、且つ、同一寸法に形成されている。ただし、側板１２には、後述するように、挿通部３１が形成されている。
【００２１】
各段の第１の連結棒には、例えば、前側に配置された第１の連結棒２１と、後側に配置された第１の連結棒２２と、が含まれる。このように、第１の構造体１の（商品陳列棚１００の）各段において、第１の連結棒は、奥行き方向に離間して複数個（具体的には、例えば、第１の連結棒２１と第１の連結棒２２の２個）設けられている。
なお、同一段の第１の連結棒２１と第１の連結棒２２とは、同一の高さに配置されている。
隣り合う段の第１の連結棒２１の上下間隔は等間隔に設定され、同様に、隣り合う段の第１の連結棒２２の上下間隔は等間隔に設定されている。
第１の連結棒２１、２２は、例えば、それぞれ直線状の棒状体であり、例えば、断面形状が円形である。第１の連結棒２１、２２は、例えば、ステンレスパイプなどの金属パイプであることが挙げられる。第１の連結棒２１と第１の連結棒２２とは、互いに同じ長さに設定されている。
第１の連結棒２１の一端部は、側板１１の前部における側板１２側の面に接続され、他端部は、側板１２の前部における側板１１側の面に接続されている。また、第１の連結棒２２の一端部は、側板１１の後部における側板１２側の面に接続され、他端部は、側板１２の後部における側板１１側の面に接続されている。こうして、第１の連結棒２１は、側板１１、１２の前部を相互に連結し、第１の連結棒２２は、側板１１、１２の後部を相互に連結している。
第１の連結棒２１、２２は、それぞれ、第１及び第２の側板１１、１２の板面と直交するように配置されている。
【００２２】
第１の構造体１は、一対の側板１１、１２が第１の連結棒２１、２２により連結されていることにより、その全体が一体的に構成され、水平な面上に載置されることによって自立できるようになっている。
【００２３】
第２の構造体２は、第１の構造体１と同様に構成されている。すなわち、第２の構造体１は、相互に対向して配置された第３及び第４の一対の側板１３、１４と、これら側板１３、１４を相互に連結する複数段（例えば、７段）の第２の連結棒と、を有している。
【００２４】
側板１３、１４は、それぞれ、平板状に形成されている。これら側板１３、１４は、それぞれ起立し、互いの板面が平行となり、且つ、互いの底面が同一平面内に位置するように配置されている。側板１３と側板１４とは、互いに同一の外形形状、且つ、同一寸法に形成されている。ただし、側板１３には、後述するように、挿通部３２が形成されている。
なお、側板１１乃至１４は、例えば、互いに同一の外形形状、且つ、同一寸法に形成されている。
【００２５】
各段の第２の連結棒には、例えば、前側に配置された第２の連結棒２３と、後側に配置された第２の連結棒２４と、が含まれる。このように、第２の構造体２の（商品陳列棚１００の）各段において、第２の連結棒は、奥行き方向に離間して複数個（具体的には、例えば、第２の連結棒２３と第２の連結棒２４の２個）設けられている。
なお、同一段の第２の連結棒２３と第２の連結棒２４とは、同一の高さに配置されている。
隣り合う段の第２の連結棒２３の上下間隔は等間隔に設定され、同様に、隣り合う段の第２の連結棒２４の上下間隔は等間隔に設定されている。
第２の連結棒２３、２４は、例えば、第１の連結棒２１、２２と同様の形状及び材質である。また、例えば、第２の連結棒２３、２４の長さは、第１の連結棒２１、２２と同じ長さに設定されている。
第２の連結棒２３の一端部は、側板１３の前部における側板１４側の面に接続され、他端部は、側板１４の前部における側板１３側の面に接続されている。また、第２の連結棒２４の一端部は、側板１３の後部における側板１４側の面に接続され、他端部は、側板１４の後部における側板１３側の面に接続されている。こうして、第２の連結棒２３は、側板１３、１４の前部を相互に連結し、第２の連結棒２４は、側板１３、１４の後部を相互に連結している。
第２の連結棒２３、２４は、それぞれ、第３及び第４の側板１３、１４の板面と直交するように配置されている。
【００２６】
第２の構造体２は、一対の側板１３、１４が第２の連結棒２３、２４により連結されていることにより、その全体が一体的に構成され、水平な面上に載置されることによって自立できるようになっている。
【００２７】
ここで、第１の側板１１、第３の側板１３、第２の側板１２及び第４の側板１４は、この順で一列に配置されている。すなわち、第１の側板１１と第２の側板１２との間に第３の側板１３が位置し、第３の側板１３と第４の側板１４との間に第２の側板１２が位置している。
第１の連結棒２１、２２は、第３の側板１３に形成された挿通部３２に遊挿されて第３の側板１３を左右に突き抜けている。
また、第２の連結棒２３、２４は、第２の側板１２に形成された挿通部３１に遊挿されて第２の側板１２を左右に突き抜けている。
そして、第２の側板１２は、第３の側板１３により、第２の構造体２から第１の側板１１側に抜けてしまうことが規制され、第３の側板１３は、第２の側板１２により、第１の構造体１から第４の側板１４側に抜けてしまうことが規制されている。
【００２８】
より具体的には、図５に示すように、第２の側板１２に形成された挿通部３１には、挿通孔３１ａと、挿通用切欠部３１ｂと、が含まれている。
そして、上から２段目から６段目までの第２の連結棒２３、２４は、各々対応する位置に形成された挿通孔３１ａに遊挿されている。挿通孔３１ａは、例えば、円形である。
また、最上段及び最下段の第２の連結棒２３、２４は、各々対応する位置に形成された挿通用切欠部３１ｂに遊挿されている。なお、最上段の第２の連結棒２３、２４が遊挿された挿通用切欠部３１ｂは、例えば、図５に示すように、第２の側板１２の上端面から下方に向けて切り欠かれた形状であり、最下段の第２の連結棒２３、２４が遊挿された挿通用切欠部３１ｂ（図示略）は、例えば、第２の側板１２の下端面から上方に向けて切り欠かれた形状である。
挿通孔３１ａの内径は、第２の連結棒２３、２４の直径よりも十分に大きく設定されている。例えば、挿通孔３１ａの内径は、第２の連結棒２３、２４の直径の２倍以上であることが挙げられる。
また、挿通用切欠部３１ｂの内寸も、第２の連結棒２３、２４の直径よりも十分に大きく（例えば、第２の連結棒２３、２４の直径の２倍以上に）設定されている。
そして、第３の側板１３、第２の側板１２及び第４の側板１４の中心が一直線上に並ぶように第１の構造体１と第２の構造体２とを配置したときに、第２の連結棒２３、２４が、それぞれ対応する挿通孔３１ａ又は挿通用切欠部３１ｂの中央を通るようになっている。
【００２９】
同様に、第３の側板１３に形成された挿通部３２には、図７に示すように、挿通孔３２ａと、挿通用切欠部３２ｂと、が含まれている。そして、上から２段目から６段目までの第１の連結棒２１、２２は、各々対応する位置に形成された挿通孔３２ａに遊挿されている。また、最上段及び最下段の第１の連結棒２１、２２は、各々対応する位置に形成された挿通用切欠部３２ｂに遊挿されている。
そして、第１の側板１１、第３の側板１３及び第２の側板１２の中心が一直線上に並ぶように第１の構造体１と第２の構造体２とを配置したときに、第１の連結棒２１、２２が、それぞれ対応する挿通孔３１ａ又は挿通用切欠部３１ｂの中央を通るようになっている。
【００３０】
第１の構造体１と第２の構造体２とは、以上のように連結されているため、自在に相対的に横移動可能であるとともに、相互に横方向に抜け止めされている。
また、第１の連結棒２１、２２は、第３の側板１３に形成された挿通部３２に遊挿され、第２の連結棒２３、２４は、第２の側板１２に形成された挿通部３１に遊挿されているため、第１の連結棒２１、２２が第３の側板１３に対して干渉せず、且つ、第２の連結棒２３、２４が第２の側板１２に対して干渉しないようにして、第１の構造体１と第２の構造体２とを相対的に横移動させることができる。
【００３１】
なお、商品陳列棚１００の各段において、第１の連結棒２１、２２と第２の連結棒２３２、２４とは、互いに同一高さに配置され、かつ、奥行き方向において互いにオフセットして配置されている。このため、第１の連結棒２１、２２と第２の連結棒２３、２４とが互いに干渉しないようにして、第１の構造体１と第２の構造体２とを相対的に横移動させることができる。
【００３２】
例えば、第１及び第２の側板１１、１２の対向間隔から第３の側板１３の板厚を差し引いた長さ（図１の幅Ｗ１）は、マガジン４０の横幅の整数倍（例えば３倍）の長さに僅かなクリアランスを加えた長さに設定されている。すなわち、第１及び第２の側板１１、１２の対向間隔から第３の側板１３の板厚を差し引いた長さは、実質的に、マガジン４０の横幅の整数倍（例えば３倍）に設定されている。
同様に、第３及び第４の側板１３、１４の対向間隔から第２の側板１２の板厚を差し引いた長さ（図１の幅Ｗ２）も、実質的に、マガジン４０の横幅の整数倍（例えば３倍）に設定されている。
【００３３】
このため、図１及び図５に示すように、第１の側板１１と第４の側板１４との対向間隔を最大幅に調節したときには、第１の側板１１と第３の側板１３との対向間隔、並びに、第２の側板１２と第４の側板１４との対向間隔に、それぞれ３つずつのマガジン４０をほぼ隙間無く横並びに配置できるようになっている。つまり、図１及び図５の状態では、商品陳列棚１００の各段に６つずつのマガジン４０を横並びに配置できる。
【００３４】
そして、第２の構造体２を図１の矢印Ａ方向（第１の側板１１側）に移動させるか、又は、第１の構造体１を矢印Ｂ方向（第４の側板１４側）に移動させることにより、第１の側板１１と第４の側板１４との対向間隔を狭めることができるとともに、第１の側板１１と第３の側板１３との対向間隔、並びに、第２の側板１２と第４の側板１４との対向間隔を狭め、且つ、第３の側板１３と第２の側板１２との対向間隔を広げることができる。これにより、例えば、図２及び図６に示す状態、図３及び図７に示す状態、又は、図４及び図８に示す状態に、それぞれ移行させることができる。
【００３５】
図２及び図６に示すように、第１の側板１１と第４の側板１４との対向間隔を最小幅に調節したときには、第３の側板１３と第２の側板１２と対向間隔に、３つのマガジン４０を横並びに配置できる。
【００３６】
図３及び図７は、第１の側板１１と第３の側板１３との対向間隔をマガジン４０二つ分に、第３の側板１３と第２の側板１２との対向間隔をマガジン４０一つ分に、第２の側板１２と第４の側板１４との対向間隔をマガジン４０二つ分に、それぞれ調節した状態である。この状態では、商品陳列棚１００の各段に５つずつのマガジン４０を横並びに配置できる。
【００３７】
図４及び図８は、第１の側板１１と第３の側板１３との対向間隔をマガジン４０一つ分に、第３の側板１３と第２の側板１２との対向間隔をマガジン４０二つ分に、第２の側板１２と第４の側板１４との対向間隔をマガジン４０一つ分に、それぞれ調節した状態である。この状態では、商品陳列棚１００の各段に４つずつのマガジン４０を横並びに配置できる。
【００３８】
商品陳列棚１００は、各段の前後の連結棒によってマガジン４０を支持できるようになっている。
第１の側板１１と第３の側板１３との対向間隔においては、各段の前側の第１の連結棒２１と後側の第１の連結棒２２とによって（２本の連結棒２１、２２によって）、マガジン４０を支持できる。
また、第２の側板１２と第４の側板１４との対向間隔においては、各段の前側の第２の連結棒２３と後側の第２の連結棒２４とによって（２本の連結棒２３、２４によって）、マガジン４０を支持できる。
また、第３の側板１３と第２の側板１２と対向間隔においては、例えば、各段の前側の第１及び第２の連結棒２１、２３と後側の第１及び第２の連結棒２２、２４とによって（４本の連結棒２１〜２４によって）、マガジン４０を支持できる。
【００３９】
なお、本実施形態の場合、奥行き方向において、第１の連結棒２１と第１の連結棒２２との間隔よりも、第２の連結棒２３と第２の連結棒２４との間隔の方が小さい。
より具体的には、奥行き方向において、手前側から順に、第１の連結棒２１、第２の連結棒２３、第２の連結棒２４及び第１の連結棒２２が配置されている。
【００４０】
また、第１及び第２の側板１１、１２の対向間隔と、第３及び第４の側板１３、１４の対向間隔と、が互いに等しい。そして、第１及び第２の側板１１、１２の対向間隔から第３の側板１３の板厚を差し引いた長さ（幅Ｗ１）と、第３及び第４の側板１３、１４の対向間隔から第２の側板１２の板厚を差し引いた長さ（幅Ｗ２）と、が互いに等しい。このため、商品陳列棚１００の横幅を変更しても、常に、第１の側板１１と第３の側板１３との対向間隔（幅Ｗ１）と、第２の側板１２と第４の側板１４との対向間隔（幅Ｗ２）と、を互いに等しくすることができる。
【００４１】
なお、第１乃至第４の側板１１〜１４は、例えば、それぞれ平行四辺形に形成され、第１及び第２の構造体１、２は、その上部ほど後方に位置するように傾斜している（図１０参照）。この傾斜に合わせて、第１の連結棒２１、２２、第２の連結棒２３、２４も、それぞれ上段に位置するものほど後方に位置している。
【００４２】
また、第４の側板１４及び第１の側板１１の外側の面には、例えば、商品のブランドイメージなどを表す装飾表示（例えば、図１０に示すような「ＸＹＺタバコ」といった表示など）が印字された装飾表示部３が形成されていても良い。
【００４３】
図１１はマガジン４０を示す側面図である。
【００４４】
マガジン４０は、上方に向けて開口する半筐体状に形成され、その内部に商品としてのタバコパッケージ６０を縦置きで前後に列をなすように複数個搭載可能となっている。マガジン４０は、図示しない押し板を備えている。この押し板は、最後列のタバコパッケージ６０の背面を手前側に付勢しており、最前列のタバコパッケージ６０がマガジン４０から取り出されると、残りのタバコパッケージ６０が押し板によって手前側に移動（前送り）されるようになっている。
【００４５】
図１１（ａ）に示すように、マガジン４０の底面には、前側の第１の連結棒２１が係合される第１係止部４１と、前側の第２の連結棒２３が係合される第２係止部４２と、が形成されている。第１及び第２係止部４１、４２は、例えば、それぞれ、下向きに開口する半円筒状の溝形状となっており、マガジン４０の幅方向に延在している。
第１及び第２係止部４１、４２の深さは、例えば、第１及び第２連結棒２１、２３の半径以上（例えば、半径程度）であることが挙げられる。
【００４６】
更に、マガジン４０の底面には、図１１（ｂ）に示すように、マガジン４０を手前側に引き出したときに第１の連結棒２１又は第２の連結棒２３と係合し、マガジン４０が手前側に脱落してしまうことを規制する第３係止部４３が形成されている。この第３係止部４３は、奥側に向けて深くなるように形成され、第３係止部４３の後端部は手前側を向く段差面４３ａとなっている。この段差面４３ａの高さ（第３係止部４３の後端部の深さ）は、第１の連結棒２１及び第２の連結棒２３の半径以上（例えば、半径程度）の寸法に設定されている。
【００４７】
更に、マガジン４０の底面には、突出部４４と、凹部４５と、が形成されている。突出部４４の前端面は、段差面４３ａである。また、マガジン４０を商品陳列棚１００に搭載したときに後側の第１の連結棒２２と第２の連結棒２４との少なくとも何れか一方が凹部４５内に位置するようになっている。
【００４８】
更に、マガジン４０は、その内部に、平坦な内底部４８を有している。上述の押し板は、この内底部４８に沿って前後に移動可能となっている。
【００４９】
図１１（ａ）に示すように、凹部４５は平坦に形成されていることが一例として挙げられる。ただし、図１１（ｃ）に示すように、凹部４５には、後側の第２の連結棒２４が浅く係止することが可能な第４係止部４６と、後側の第１の連結棒２２が浅く係止することが可能な第５係止部４７と、が形成されていても良い。第４及び第５係止部４６、４７の深さは、第２及び第１連結棒２４、２２の半径未満である。
【００５０】
なお、商品陳列棚１００の１段の高さ（隣り合う段の第１の連結棒２１の上下間隔）は、マガジン４０にタバコパッケージ６０を搭載したときのマガジン４０の底面からタバコパッケージ６０の上面までの高さよりも十分に大きく設定されている。これにより、タバコパッケージ６０を搭載したマガジン４０を例えば図１１（ｂ）に示すように商品陳列棚１００から容易に引き出すことができる。
【００５１】
図５乃至図１０に示すように、商品陳列棚１００は、例えば、第１及び第２の構造体１、２の前面に設けられる前面化粧パネル５０を更に備えている。この前面化粧パネル５０は、第１及び第２の構造体１、２に対して着脱自在となっている。商品陳列棚１００の横幅の変更に合わせて、前面化粧パネル５０の横幅も変更できるようになっている。
【００５２】
具体的には、前面化粧パネル５０は、例えば、第１乃至第４部分５１〜５４の４つの部分により構成されている。第１部分５１の幅は、商品陳列棚１００の最大横幅の半分の幅Ｗ３（図１）に設定されている（図９参照）。また、第２部分５２、第３部分５３及び第４部分５４の各々の幅は、幅Ｗ３の１／３に設定されている（図９参照）。
そして、商品陳列棚１００の横幅を最大（マガジン４０六つ分）にしたときには、例えば、図９及び図５に示すように、第１乃至第４部分５１〜５４をこの順に横一列に並べて、商品陳列棚１００の前面に取り付ける。
また、商品陳列棚１００の横幅を最小（マガジン４０三つ分）にしたときには、例えば、図６に示すように、第１部分５１のみを商品陳列棚１００の前面に取り付ける。
また、商品陳列棚１００の横幅をマガジン４０五つ分にしたときには、例えば、図７に示すように、第１乃至第３部分５１〜５３をこの順に横一列に並べて、商品陳列棚１００の前面に取り付ける。
また、商品陳列棚１００の横幅をマガジン４０四つ分にしたときには、例えば、図８に示すように、第１及び第２部分５１、５２を横に並べて、商品陳列棚１００の前面に取り付ける。
【００５３】
図１２は第１部分５１を示す図であり、このうち図１２（ａ）は側面図、図１２（ｂ）は背面図である。
図１２に示すように、第１部分５１は、平板状の本体部５１ａと、この本体部５１ａの裏面より後方に向けて延出するように形成された複数の後方延出部５５と、を有している。第１部分５１には、例えば、一対の後方延出部５５が、本体部５１ａの上部の左右に離間して設けられている（図１２（ｂ））。
後方延出部５５には、第１部分５１を前側の第１の連結棒２１に対して係止することにより第１部分５１を商品陳列棚１００に取り付けるための係止部５６（図１２（ａ））が形成されている。
係止部５６は、例えば、下向きに開口する切欠部である。この切欠部の深さ（上下寸法）は、例えば、第１連結棒２１の半径以上の寸法に設定されている。
なお、後方延出部５５は、例えば、マガジン４０と側板（第１乃至第３の側板１１、１２、１３の何れか）との隙間、隣り合うマガジン４０どうしの隙間、又は、第１の側板１１と第３の側板１３との隙間に差し込まれるようになっている。
ここで、第１部分５１の横幅は、商品陳列棚１００の最大横幅の半分の幅Ｗ３（図１）に設定されているため、図９に示すように第１部分５１を商品陳列棚１００に取り付けた状態で、本体部５１ａの裏面は、例えば第１及び第３の側壁１１、１３の前端面により支持される。このため、第１部分５１は、例えばその上部にのみ、係止部５６を有する後方延出部５５を備えていればよい。
【００５４】
図１３は第２乃至第４部分５２〜５４を示す図であり、このうち図１３（ａ）は側面図、図１３（ｂ）は背面図である。
図１３に示すように、第２乃至第４部分５２〜５４は、それぞれ、平板状の本体部５７と、この本体部５７の裏面より後方に向けて延出するように形成された複数の後方延出部５８と、を有している。第２乃至第４部分５２〜５４には、例えば、本体部５７の４隅の各々に、それぞれ後方延出部５８が設けられている（図１３（ｂ））。
後方延出部５８は、後方延出部５５よりも長く後方に延出している。後方延出部５８には、第２乃至第４部分５２〜５４を前側の第２の連結棒２３に対して係止することにより第２乃至第４部分５２〜５４を商品陳列棚１００に取り付けるための係止部５９（図１３（ａ））が形成されている。係止部５９は、係止部５６と同様の形状及び寸法に形成されている。
なお、上側の後方延出部５８は、例えば、マガジン４０と側板（第２の側板１２又は第４の側板１４）との間、又は、隣り合うマガジン４０どうしの間に差し込まれるようになっている。
【００５５】
前面化粧パネル５０の前面には、例えば、商品のブランドイメージなどを表す装飾表示（例えば、図１０に示すような「ＸＹＺタバコ」といった表示など）が印字された装飾表示部４が形成されている。
【００５６】
なお、例えば、図９に示されるように、最上段の連結棒２１、２２、２３、２４上には、マガジン４０を搭載しないことが挙げられる。
また、図５乃至図８に示されるように、前面化粧パネル５０が取り付けられる段にも、マガジン４０を搭載しないことが挙げられる。
【００５７】
ここで、商品陳列棚１００の幅調整動作の例について説明する。
図１に示すように各段に６つずつのマガジン４０を横並びに配置した状態から、図３に示すように各段に５つずつのマガジン４０を横並びに配置した状態にするには、例えば、中央の２列のマガジン４０を商品陳列棚１００から取り外し、商品陳列棚１００の横幅が狭まる方向に第１の構造体１と第２の構造体２とを相対的に横移動させた後、第３の側板１３と第２の側板１２との対向間隔に１列のマガジン４０を挿入すると良い。
また、図３に示す状態から、図４に示すように各段に４つずつのマガジン４０を横並びに配置した状態にするには、例えば、中央の３列のマガジン４０を商品陳列棚１００から取り外し、商品陳列棚１００の横幅が狭まる方向に第１の構造体１と第２の構造体２とを相対的に横移動させた後、第３の側板１３と第２の側板１２との対向間隔に２列のマガジン４０を挿入すると良い。
また、図４に示す状態から、図２に示すように各段に３つずつのマガジン４０を横並びに配置した状態にするには、例えば、両端の列（合計２列）のマガジン４０を商品陳列棚１００から取り外し、商品陳列棚１００の横幅が狭まる方向に第１の構造体１と第２の構造体２とを相対的に横移動させた後、第３の側板１３と第２の側板１２との対向間隔に１列のマガジン４０を挿入すると良い。
【００５８】
以上のような第１の実施形態によれば、第１及び第２の構造体１、２は、それぞれ、相互に対向して配置された一対の側板と、これら側板を相互に連結するとともに、商品を収容するマガジン４０の支持部を兼ねる複数段の連結体と、を有している。このため、第１及び第２の構造体１、２は、各々、一体的に構成されている。そして、それぞれが自立し且つ相互に横方向に抜け止めされた状態の第１の構造体１と第２の構造体２とを相対的に横移動させることができる。よって、商品陳列棚１００の横幅を変更する操作の操作性を良好なものとすることができる。
例えば、第１及び第２の構造体１、２の何れか一方のみに力を加えて、当該一方の構造体を他方の構造体に対して相対的に横移動させることにより、商品陳列棚１００の横幅を容易に変更することが可能である。
また、第１の構造体１と第２の構造体２とは相互に横方向に抜け止めされた状態で連結されているため、第１の構造体１と第２の構造体２との連結状態を好適に維持することができるとともに、商品陳列棚１００の横幅が規定の上限値を超えないようにすることができる。
【００５９】
〔第２の実施形態〕
図１４は第２の実施形態に係る商品陳列棚１００の平面図である。
【００６０】
上記の第１の実施形態では、奥行き方向において、第１の連結棒２１と第１の連結棒２２との間隔よりも、第２の連結棒２３と第２の連結棒２４との間隔の方が小さく、手前側から順に、第１の連結棒２１、第２の連結棒２３、第２の連結棒２４及び第１の連結棒２２が配置されている例を説明した。
【００６１】
これに対し、第２の実施形態では、奥行き方向において、手前側から順に、例えば、第２の連結棒２３、第１の連結棒２１、第２の連結棒２４及び第１の連結棒２２が配置されている。
【００６２】
また、例えば、奥行き方向において、第１の連結棒２１と第１の連結棒２２との間隔と、第２の連結棒２３と第２の連結棒２４との間隔と、が互いに等しく設定されている。これにより、第１の構造体１の強度と第２の構造体２の強度とを容易に均一化することができる。また、マガジン４０の支持安定性を均一化することができる。
【００６３】
その他の構造においては、第２の実施形態に係る商品陳列棚１００も、第１の実施形態と同様であり、第２の実施形態によるその他の効果については、第１の実施形態と同様である。
【００６４】
〔第３の実施形態〕
図１５は第３の実施形態に係る商品陳列棚１００の平面図、図１６は第３の実施形態に係る商品陳列棚１００の一部分を示す斜視図である。
【００６５】
上記の第１及び第２の実施形態では、第１の連結体が第１の連結棒２１、２２であり、第２の連結体が第２の連結棒２３、２４である例を説明した。
【００６６】
これに対し、第３の実施形態では、図１５に示すように、第１の連結体が第１の連結板２５、２６であり、第２の連結体が第２の連結板２７、２８となっている。第１の連結板２５、２６及び第２の連結板２７、２８は、それぞれ板面を上下に向けて配置されている。
【００６７】
また、本実施形態の場合、図１６に示すように、挿通孔３１ａ（挿通部３１）の形状は、第２の連結板２７（及び２８）の形状に合わせて、例えば、矩形状に形成されている。また、図示は省略するが、挿通用切欠部３１ｂ（挿通部３１）の形状も、第２の連結板２７（及び２８）の形状に合わせて、矩形状に形成されている。
また、図示は省略するが、挿通部３２の挿通孔３２ａ及び挿通用切欠部３２ｂの形状も、挿通部３１の挿通孔３１ａ及び挿通用切欠部３１ｂと同様である。
【００６８】
また、図示は省略するが、マガジン４０の第１係止部４１、第２係止部４２の形状についても、第１の連結板２５及び第２の連結板２７の形状に合わせて、断面矩形状にしても良い。
【００６９】
以上のような第３の実施形態によれば、第１の連結体が第１の連結板２５、２６であり、第２の連結体が第２の連結板２７、２８であるので、マガジン４０の支持安定性を高めることができる。
【００７０】
その他の構造においては、第３の実施形態に係る商品陳列棚１００も、第１及び第２の実施形態と同様であり、第３の実施形態によるその他の効果については、第１及び第２の実施形態と同様である。
【００７１】
〔第４の実施形態〕
図１７は第４の実施形態に係る商品陳列棚１００の平面図である。
【００７２】
上記の第３の実施形態では、各段の第２の連結体が前後一対の第２の連結板２７、２８である例を説明した。
【００７３】
これに対し、第４の実施形態では、各段の第２の連結体が１枚板の第２の連結板２９となっている。第２の連結板２９の前後寸法は、例えば、商品陳列棚１００の前後寸法の１／２以上であることが挙げられる。
なお、第２の連結板２９の形状に合わせて、挿通孔３１ａ（挿通部３１）の形状や、挿通用切欠部３１ｂ（挿通部３１）の形状も、第３の実施形態と比べて前後に広く形成されている。
【００７４】
一方、第１の連結体については、第３の実施形態のように第１の連結板２５、２６としても良いが、図１７の例では、第１の連結棒２１、２２としている。こうすることにより、第１の連結体の前後寸法を小さくできるため、第２の連結体（第２の連結板２９）の前後寸法を極力大きくすることが可能となる。
【００７５】
その他の構造においては、第４の実施形態に係る商品陳列棚１００も、第１の実施形態と同様であり、第４の実施形態によるその他の効果については、第１の実施形態と同様である。
【００７６】
〔第５の実施形態〕
図１８は第５の実施形態に係る商品陳列棚１００の斜視図である。
【００７７】
上記の各実施形態では、各段の第１の連結体、並びに、各段の第２の連結体が、個別の挿通孔或いは挿通用切欠部に遊挿されている例を説明した。
【００７８】
これに対し、第５の実施形態の場合、複数段の第１の連結体、並びに、複数段の第２の連結体が、一括して、挿通用切欠部に遊挿されている。具体的には、図１８には、例えば、上から２段目から７段目までの第２の連結棒２３が、一括して、第２の側板１２に形成された挿通用切欠部３３に遊挿されている様子を示している。図示は省略するが、同様に、例えば、上から２段目から７段目までの第２の連結棒２４も、第２の側板１２に形成された挿通用切欠部３３に遊挿されている。また、図示は省略するが、同様に、例えば、上から２段目から７段目までの第１の連結棒２１、並びに、第２の連結棒２２も、それぞれ、第３の側板１３に形成された挿通用切欠部に遊挿されている。
【００７９】
その他の構造においては、第５の実施形態に係る商品陳列棚１００も、第１乃至第４の実施形態と同様であり、第５の実施形態による効果については、第１乃至第４の実施形態と同様である。
【００８０】
〔第６の実施形態〕
図１９は第６の実施形態に係る商品陳列棚１００の第１の例を示す斜視図である。図２０は、第６の実施形態に係る商品陳列棚１００の第２の例を示す平面図である。
【００８１】
上記の各実施形態に係る商品陳列棚１００は、例えば、図１９に示すような把手部７１、或いは、図２０に示すような把手部７２を有していても良い。
【００８２】
図１９に示す把手部７１は、例えば、第４の側板１４に対し、該第４の側板１４を左右に貫通する孔を形成することにより構成されている。この把手部７１は、商品陳列棚１００の幅調整操作を行うオペレータが、該把手部７１内に手を差し入れて、第４の側板１４における把手部７１の周囲の部分を掴むことができるような寸法及び形状に形成されている。なお、第１の側板１１にも、同様の把手部７１を形成しても良い。
このような把手部７１を側板（例えば第４の側板１４及び第１の側板１１）に形成することにより、商品陳列棚１００の幅調整操作の操作性を更に向上させることができる。
【００８３】
一方、図２０に示す把手部７２は、例えば、平面形状がコ字状に形成され、第４の側板１４の外側の面より外方に（例えば水平に）突出するように、第４の側板１４に固定されている。この把手部７２は、商品陳列棚１００の幅調整操作を行うオペレータが、該把手部７２と第４の側板１４との間に手を差し入れて、把手部７２を掴むことができるような寸法及び形状に形成されている。なお、第１の側板１１にも、同様の把手部７２を形成しても良い。
このような把手部７２を側板（例えば第４の側板１４及び第１の側板１１）に形成することによっても、商品陳列棚１００の幅調整操作の操作性を向上させることができる。
ここで、把手部７２は、不使用時に側板（第４の側板１４及び第１の側板１１）に沿って垂下するように該側壁に軸支されていても良い。この場合、使用時には把手部７２を側壁に対して軸周りに回動させて、側板より起立させる。このような構成とすることにより、不使用時に把手部７２が横方向にかさばらず、商品陳列棚１００の平面的な設置スペースの増大を抑制できる。
【００８４】
なお、例えば、図２０に示すように、商品陳列棚１００の幅寸法を最小幅に設定した状態では、第４の側板１４と第２の側板１２との間、並びに、第１の側板１１と第３の側板１３との間に、それぞれ隙間がない。このため、図１９に示す形状の把手部７１だけでは、この状態から商品陳列棚１００の幅寸法を広げる操作がし難い。
これに対し、図２０に示す形状の把手部７２の場合、第４の側板１４と第２の側板１２との間、並びに、第１の側板１１と第３の側板１３との間に、それぞれ隙間が無くても、容易に商品陳列棚１００の幅調整操作を行うことができる。
或いは、図示は省略するが、図１９の構成において、第２の側板１２において把手部７１と対向する位置に、把手部７１よりも大寸法の開口を形成しても良い。この場合、把手部７１から差し入れた手を更にその開口内に差し入れることにより、第４の側板１４における把手部７１の周囲の部分を容易に掴むことができる。よって、図２０に示す形状の把手部７２を形成しなくても、第４の側板１４と第２の側板１２との間に隙間がない状態からの幅調整操作を容易に行うことができる。
【００８５】
なお、各側板１１、１４が、図１９に示す形状の把手部７１と図２０に示す形状の把手部７２との双方を有するようにしても良い。
【００８６】
以上のような第６の実施形態によれば、第１の側板１１と第４の側板１４との少なくともいずれか一方に把手部７１又は７２が設けられているので、商品陳列棚１００の幅調整操作の操作性を向上させることができる。
なお、把手部７１、７２は、前面化粧パネル５０が取り付けられる段と同じ段に形成することが好ましい。
【００８７】
〔第７の実施形態〕
図２１は第７の実施形態に係る商品陳列棚１００の平面図である。
【００８８】
上記の各実施形態に係る商品陳列棚１００には、例えば、図２１に示すように、少なくとも何れか１つの側板１１〜１４において、その隣の側板の方を向く面に、緩衝材６が設けられていても良い。図２１には、各側板１１〜１４において、その隣の側板の方を向く何れの面にも、緩衝材６を設けた例を示している。なお、緩衝材６は、各側板１１〜１４の板面における４隅にそれぞれ設けることが好ましい。
【００８９】
緩衝材６は、例えば、合成樹脂或いはゴムなどにより構成され、例えば、隣の側板側に向けて突出する凸曲面状に形成されている。緩衝材６は、側板１１〜１４がその隣の側板と接触する際、或いは、側板１１〜１４がマガジン４０と接触する際の衝撃を緩和する。
【００９０】
以上のような第７の実施形態によれば、少なくとも何れか１つの側板１１〜１４において、その隣の側板の方を向く面に、緩衝材６が設けられているので、商品陳列棚１００の幅調整操作時に側板１１〜１４がその隣の側板或いはマガジン４０と接触する際の衝撃を緩和することができる。
【００９１】
〔第８の実施形態〕
図２２は第８の実施形態に係る商品陳列棚１００の底面図である。図２３は第８の実施形態に係る商品陳列棚１００が有する滑り材８０の構造を示す図であり、このうち図２３（ａ）は滑り材８０の底面図、図２３（ｂ）は図２３（ａ）の矢印Ｅ方向から滑り材８０を見た側面図である。
【００９２】
上記の各実施形態に係る商品陳列棚１００には、例えば、図２２に示すように、第１の構造体１の側板１１、１２の底面と、第２の構造体２の側板１３、１４の底面と、の少なくとも何れか一方に、滑り材８０が設けられていても良い。なお、図２２の例では、第１の構造体１の側板１１、１２の底面と、第２の構造体２の側板１３、１４の底面とに、それぞれ滑り材８０を設けた例を示している。
【００９３】
図２３に示すように、滑り材８０の底面には、商品陳列棚１００の幅方向に延在する複数の溝部８２と、これら溝部８２の間に位置し商品陳列棚１００の幅方向に延在する凸部８３と、が形成されている。滑り材８０は、例えば、合成樹脂などにより構成され、側板１１〜１４の底面に貼り付けられている。
【００９４】
以上のような第８の実施形態によれば、滑り材８０を第１及び第２の構造体１、２の側板１１〜１４の底面に取り付けることにより、側板１１〜１４が直接的に載置面５（図９、図１０）に接触する場合と比べて、載置面５と第１及び第２の構造体１、２との摩擦係数を低減することができる。よって、第１及び第２の構造体１、２をより軽い力で操作できるようになる。
【００９５】
〔第９の実施形態〕
図２４は第９の実施形態に係る商品陳列棚１００の底面図である。
【００９６】
上記の第８の実施形態では、第１の構造体１の側板１１、１２の底面と、第２の構造体２の側板１３、１４の底面とに、それぞれ滑り材８０を設けた例を説明した。
これに対し、第９の実施形態では、一方の構造体（例えば第２の構造体２）の側板１３、１４の底面には滑り材８０が設けられ、他方の構造体（例えば第１の構造体１）の側板１１、１２の底面には滑り止め材９０が設けられている。
【００９７】
滑り止め材９０は、例えばゴムなどの摩擦係数が高い材質により構成された、平板な板状のものであり、側板１１、１２の底面に貼り付けられている。
【００９８】
以上のような第９の実施形態によれば、滑り材８０を第２の構造体２の第３及び第４の側板１３、１４の底面に取り付けることにより、第８の実施形態と同様に第２の構造体２を軽い力で操作できる。一方、滑り止め材９０を第１の構造体１の第１及び第２の側板１１、１２の底面に取り付けることにより、第１の構造体１を載置面５（図９、図１０）に対して滑動しにくくすることができる。よって、一方の構造体（例えば第２の構造体２）のみを操作（他方の構造体に対して相対的に横移動）しやすくすることができる。
【００９９】
上記の各実施形態では、第１及び第２の２つの構造体１、２のみが連結されている例を説明したが、それぞれ自立する３つ以上の構造体が、相対的に横移動可能で、相互に横方向に抜け止めされた状態で横方向に順次連結されていても良い。
【０１００】
上記の各実施形態では、前面化粧パネル５０を連結棒に引っ掛けることにより商品陳列棚１００に取り付ける例を説明したが、前面化粧パネル５０は、側板１１〜１４に形成された被係止部（図示略）に対し、前面化粧パネル５０に形成された係止部（係止爪など）を係止させることによって、商品陳列棚１００に取り付けられるようにしても良い。
【０１０１】
上記の各実施形態では、第１の側板１１と第３の側板１３との対向間隔、並びに、第２の側板１２と第４の側板１４との対向間隔が、それぞれ最大でマガジン４０の横幅の約３倍であり、商品陳列棚１００の各段に最大で６つのマガジン４０を横並びに搭載できる例を説明した。ただし、第１の側板１１と第３の側板１３との対向間隔、並びに、第２の側板１２と第４の側板１４との対向間隔は、マガジン４０の横幅の１倍以上であれば任意である。
【０１０２】
また、上記の各実施形態では、第１及び第２の構造体１、２の連結体がそれぞれ７段である例を説明したが、連結体の段数は任意の複数段とすることができる。
以下、参考形態の例を付記する。
１．相互に対向して配置された一対の側板と、これら側板を相互に連結するとともに、商品を収容するマガジンの支持部を兼ねる複数段の連結体と、をそれぞれ有する第１及び第２の一対の構造体を備え、
前記第１及び第２の構造体はそれぞれ自立し、且つ、相対的に横移動可能で、相互に横方向に抜け止めされた状態で連結されていることを特徴とする商品陳列棚。
２．前記第１の構造体は、相互に対向して配置された第１及び第２の一対の前記側板と、これら側板を相互に連結する複数段の第１の前記連結体と、を有し、
前記第２の構造体は、相互に対向して配置された第３及び第４の一対の前記側板と、これら側板を相互に連結する複数段の第２の前記連結体と、を有し、
前記第１の側板と前記第２の側板との間に前記第３の側板が位置し、前記第１の連結体は、前記第３の側板に形成された挿通部に遊挿されて前記第３の側板を左右に突き抜け、
前記第３の側板と前記第４の側板との間に前記第２の側板が位置し、前記第２の連結体は、前記第２の側板に形成された挿通部に遊挿されて前記第２の側板を左右に突き抜け、
前記第２の側板は、前記第３の側板により、前記第２の構造体から前記第１の側板側に抜けてしまうことが規制され、
前記第３の側板は、前記第２の側板により、前記第１の構造体から前記第４の側板側に抜けてしまうことが規制されていることを特徴とする１．に記載の商品陳列棚。
３．当該商品陳列棚の各段において、前記第１の連結体と前記第２の連結体とは、互いに同一高さに配置され、かつ、奥行き方向において互いにオフセットして配置されていることを特徴とする２．に記載の商品陳列棚。
４．当該商品陳列棚の各段において、前記第１の連結体は、奥行き方向に離間して複数個設けられていることを特徴とする２．又は３．に記載の商品陳列棚。
５．当該商品陳列棚の各段において、前記第２の連結体は、奥行き方向に離間して複数個設けられていることを特徴とする４．に記載の商品陳列棚。
６．前記第１及び第２の側板の対向間隔から前記第３の側板の板厚を差し引いた長さ、並びに、前記第３及び第４の側板の対向間隔から前記第２の側板の板厚を差し引いた長さは、それぞれ、前記マガジンの横幅の整数倍に設定されていることを特徴とする２．乃至５．の何れか一つに記載の商品陳列棚。
７．前記第１及び第２の側板の対向間隔から前記第３の側板の板厚を差し引いた長さと、前記第３及び第４の側板の対向間隔から前記第２の側板の板厚を差し引いた長さと、が互いに等しいことを特徴とする２．乃至６．の何れか一つに記載の商品陳列棚。
８．前記第１の側板と前記第４の側板との少なくともいずれか一方に把手部が設けられていることを特徴とする１．乃至７．の何れか一つに記載の商品陳列棚。
９．少なくとも何れか１つの前記側板において、その隣の前記側板の方を向く面に、緩衝材が設けられていることを特徴とする１．乃至８．の何れか一つに記載の商品陳列棚。
１０．前記第１の構造体の前記側板の底面と、前記第２の構造体の前記側板の底面と、の少なくとも何れか一方に、滑り材が設けられていることを特徴とする１．乃至９．の何れか一つに記載の商品陳列棚。
１１．前記第１の構造体の前記側板の底面と、前記第２の構造体の前記側板の底面と、の何れか一方に前記滑り材が設けられ、何れか他方に滑り止め材が設けられていることを特徴とする１０．に記載の商品陳列棚。
【符号の説明】
【０１０３】
１ 第１の構造体
２ 第２の構造体
３ 装飾表示部
４ 装飾表示部
５ 載置面
６ 緩衝材
１１ 第１の側板
１２ 第２の側板
１３ 第３の側板
１４ 第４の側板
２１ 第１の連結棒（第１の連結体）
２２ 第１の連結棒（第１の連結体）
２３ 第２の連結棒（第２の連結体）
２４ 第２の連結棒（第２の連結体）
２５ 第１の連結板（第１の連結体）
２６ 第１の連結板（第１の連結体）
２７ 第２の連結板（第２の連結体）
２８ 第２の連結板（第２の連結体）
２９ 第２の連結板（第２の連結体）
３１  挿通部
３１ａ  挿通孔（挿通部）
３１ｂ 挿通用切欠部（挿通部）
３２  挿通部
３２ａ  挿通孔（挿通部）
３２ｂ 挿通用切欠部（挿通部）
３３  挿通用切欠部（挿通部）
４０ マガジン
４１ 第１係止部
４２ 第２係止部
４３ 第３係止部
４３ａ 段差面
４４ 突出部
４５ 凹部
４６ 第４係止部
４７ 第５係止部
４８ 内底部
５０ 前面化粧パネル
５１ 第１部分
５１ａ 本体部
５２ 第２部分
５３ 第３部分
５４ 第４部分
５５ 後方延出部
５６ 係止部
５７ 本体部
５８ 後方延出部
５９ 係止部
６０ タバコパッケージ（商品）
７１ 把手部
７２ 把手部
８０ 滑り材
８２ 溝部
８３ 凸部
９０ 滑り止め材
１００ 商品陳列棚
【図１】
0005704950.tif 000002
【図２】
0005704950.tif 000003
【図３】
0005704950.tif 000004
【図４】
0005704950.tif 000005
【図５】
0005704950.tif 000006
【図６】
0005704950.tif 000007
【図７】
0005704950.tif 000008
【図８】
0005704950.tif 000009
【図９】
0005704950.tif 000010
【図１０】
0005704950.tif 000011
【図１１】
0005704950.tif 000012
【図１２】
0005704950.tif 000013
【図１３】
0005704950.tif 000014
【図１４】
0005704950.tif 000015
【図１５】
0005704950.tif 000016
【図１６】
0005704950.tif 000017
【図１７】
0005704950.tif 000018
【図１８】
0005704950.tif 000019
【図１９】
0005704950.tif 000020
【図２０】
0005704950.tif 000021
【図２１】
0005704950.tif 000022
【図２２】
0005704950.tif 000023
【図２３】
0005704950.tif 000024
【図２４】
0005704950.tif 000025